(57)【要約】      （修正有）【課題】締めつけ固定時の安定性は大幅に向上でき、研磨の品質に手助けできるマイクロドリル研磨機の締め付け装置を提供する。【解決手段】一対の支持アームは、外枠の中央位置に平行して設けられ、かつ一対の前記支持アームは、斜め向きに外枠の一つの側に延在して設けられ、一対の前記支持アームと外枠との間は、一対の枢転部がそれぞれ設けられ、一対のチャック部３２は、それぞれ一対の前記支持アームの端部に設けていて、かつ常時に噛み合わせを維持されている。動力源３３は、支えブロックを有し一対の前記支持アームの間に取り付ける。支えブロックを利用して、一対の前記支持アームを広げることによって、前記一対のチャック部を開き、マイクロドリルの締め付けに備え、かつ前記一対の枢転部の跳ね返り力量を利用し、マイクロドリルを固定して研磨加工を行う。【選択図】図２
0003174752.tif 000002
【実用新案登録請求の範囲】
【請求項１】
ラックに設置され材料供給装置の一つの側に位置し、マイクロドリルを締め付け固定して研磨加工に備える、マイクロドリル研磨機の締め付け装置であって、
一つの金属ブロックより切削して外枠と、一対の支持アームを形成され、一対の前記支持アームは、前記外枠の中央部に平行して設けられ、かつ一対の前記支持アームは、斜め向きに前記外枠の一つの側に延在して設けられ、一対の前記支持アームと前記外枠との間は、それぞれ少なくとも一つの枢転部を形成するベースと、
それぞれ一対の前記支持アームの端部に対向して設けられ、少なくとも一つの対向面は第１Ｖカット溝を設けられ、かつ常時にもう一つの対向面と噛み合わせる一対のチャック部と、
前記ベースの一つの側に設けられ、かつ支持ブロックを有し、前記支持ブロックは、一対の前記支持アームの間に設けられ、揺動運動に備える動力源と、を備える、
前記支持ブロックが正方向に揺動したとき、一対の前記支持アームは、それぞれ前記一対の枢転部を支点としてバランスよく外部に広げて、一対の前記チャック部を開き、マイクロドリルを取り付ける、前記支持ブロックが逆方向に揺動したとき、一対の前記支持アームは、一対の前記枢転部の跳ね返り力量によって復帰され、再び一対の前記チャック部を噛み合わせて、マイクロドリルを締め付け固定する、
マイクロドリル研磨機の締め付け装置。
【請求項２】
前記もう一つのチャック部の対向面は、前記第１Ｖカット溝に対応して、２Ｖカット溝を設けられ、かつ前記第１Ｖカット溝と前記第２Ｖカット溝の形状、寸法は同じであることを特徴とする、請求項１記載のマイクロドリル研磨機の締め付け装置。
【請求項３】
一対の前記支持アームの対向面は、それぞれ固定溝を設けていて、かつ一対の前記固定溝は対向して設けられ、収容空間を形成して、前記支持ブロックを内部に収容することを特徴とする、請求項１記載のマイクロドリル研磨機の締め付け装置。
【請求項４】
前記動力源はリニア動力源であり、前記リニア動力源の一端は連稈に接続され、前記連稈の他端は回転軸の一端に接続され、前記回転軸の他端は前記支持ブロックを設けられ揺動運動に備えることを特徴とする、請求項１記載のマイクロドリル研磨機の締め付け装置。
【請求項５】
前記リニア動力源は、エアシリンダーであり、前記エアシリンダーは駆動軸を設けられ、かつ前記駆動軸は、前記連稈に接続されていることを特徴とする、請求項４記載のマイクロドリル研磨機の締め付け装置。
【考案の詳細な説明】
【技術分野】
【０００１】
本考案はマイクロドリル研磨機に関し、特に小さい円径０．１ｍｍ〜０．０７５ｍｍのマイクロドリルを締め付けて、二次研磨に備えるマイクロドリル研磨機の締め付け装置に関する。
【背景技術】
【０００２】
マイクロドリル一部の精密な鑽孔加工作業によく使用される。この種のマイクロドリルのサイズが小さく、かつ一定の高さ／直径比を有し、精密な研磨装置によって、要求に合った高速鋼材を研磨仕上げる目的で製造される。この種の精密研磨装置は固定式締め金を設けられ、高速鋼材を安定に締め付け研磨加工に備える。特に円柱形の端部を削って先鋭化した後、穴あけの切削に備える。さらに、研磨の品質は鑽孔の安定性、品質及び効率と密接に関係している。
【先行技術文献】
【特許文献】
【０００３】
【特許文献１】スイス特許第００９２１／０４号
【特許文献２】スイス特許第２００４０６０１号
【特許文献３】中華民国特許公開第２００６０７６０２号
【考案の概要】
【考案が解決しようとする課題】
【０００４】
固定式締め金は静止状態のとき、開放の位置に選択されている。マイクロドリルを固定するときは、新たにガイドプッシャーを使用し、固定式締め金の端部の間より作用力を加えて閉合させる。閉合したときは安定な挟み形態を形成し、研磨加工時の振動に耐えられる。しかし、閉合が確実に行われていない場合は、固定式締め金に摩損または遊びを形成し閉合の不完全により、マイクロドリルのずれを引き起し、研磨加工の品質に影響を与える。
【０００５】
よって、スイス特許第００９２１／０４（特許文献１）、スイス特許第第２００４０６０１号（特許文献２）、中華民国特許公開第２００６０７６０２号（特許文献３）は、図１に示すように、締め金本体１は、一つの金属製のブロックから切削によって、中心部１１と、２つの平行支持アーム１２と、４つの弾性指状の枢軸装置１３と、を備える。枢軸装置１３は、支持アーム１２が中心部１１に接続する間に設けられ、かつ一対の支持アーム１２は、一つの制御具１４によって、開閉状態を制御されている。締め金本体１上は一対の締め付け顎２をさらに設けられ、ピン２１と、ライニング２２と、ボルト２３を利用し、一対の支持アーム１２に取り付けられている。制御具１４は静止状態のとき、マイクロドリルの端部を一対の締め付け顎２の間に締め付けることができる。制御具１４が一対の支持アーム１２の後部端に沿って、勾配を形成する厚い端に向かって移動するとき、一対の支持アーム１２の後部端は互いに閉合するように連動され、締め金本体１は枢軸装置１３の変形によって開放となり、マイクロドリルの取り外しに備える。この種の設計は、支持アーム１２と同等数によって締め付けるため、閉合不良の問題はない。しかし、体積が大きいことため、取付けが不便のほか、取り付けた後は全体の体積が大きくなり、組み立て者にとって非常に不便である。
【課題を解決するための手段】
【０００６】
前述問題について、本考案の目的は一つの金属製のブロックから切削によって、外枠と、一対の支持アームを形成されるため、金属ブロックの跳ね返り力量を利用し、一対の前記支持アームを閉合するとともに、動力源に備える支えブロックによって、一対の前記支持アームを広げて、等量の広げおよび閉合の動作は、締めつけ固定時の安定性は大幅に向上でき、研磨の品質に手助けできるマイクロドリル研磨機の締め付け装置を提供する。
【０００７】
本考案のつぎの目的は、ベースの体積を軽減することによって、組立が便利、かつ組立後の体積を軽減するマイクロドリル研磨機の締め付け装置を提供する。
【０００８】
前記目的を達成するため、本考案のマイクロドリル研磨機の締め付け装置は、ラック上に取り付けられ、材料供給装置の一つの側に位置していて、マイクロドリルを締めつけ固定して研磨加工を実施する。一つの金属ブロックを切削して、外枠と、一対の支持アームを形成し、一対の前記支持アームは、外枠の中央部位置に平行して設けられ、一対の前記支持アームは斜め向きに外枠の一つの側に延在して設けられ、一対の前記支持アームと外枠との間はそれぞれ少なくとも一つの枢転部を形成するベースと、それぞれ一対の前記支持アームの端部に対向して設けられ、少なくとも一つの対向面は、第１Ｖカット溝を設けられ、かつ、もう一つの対向面と常時に噛み合わせる一対のチャック部と、ベースの一つの側に位置していて、かつ支持ブロックを設けられ、支持ブロックは、一対の前記支持アームの間で揺動自在にて設ける動力源と、を備える。
【０００９】
これにより、支持ブロックが正方向に揺動したとき、一対の支持アームはそれぞれ一対の枢転部を支点として、バランスよく外部に広げてチャック部を開き、マイクロドリルを取り付ける。一方、支持ブロックが逆方向に揺動したとき、一対の支持アームは枢転部の跳ね返り力量によって復帰され、チャック部が再び噛み合わせて、マイクロドリルを締めつけ固定する。
【００１０】
そのうち、もう一つのチャック部の対向面は、第１Ｖカット溝に対応して第２Ｖカット溝を設けられ、かつ第１Ｖカット溝と第２Ｖカット溝の形状、寸法は同じである。
【００１１】
そのうち、一対の前記支持アームの対向面は、それぞれ制限溝を設けられ、かつ一対の制限溝を対向して設けることによって収容空間を形成し、支持ブロックをその内部に収容する。
【００１２】
そのうち、動力源はリニア動力源であり、リニア動力源の一端は連稈に接続され、連稈の他端は回転軸の一端に接続され、回転軸の他端は支持ブロックを設けられ、揺動運動に備える。リニア動力源はエアシリンダーであり、エアシリンダーは駆動軸を設けられ、かつ駆動軸は連稈に接続されている。
【考案の効果】
【００１３】
以上のとおり、本考案の締め付け装置３は一つの金属ブロックより切削して、外枠３１１と一対の支持アーム３１２を形成する。さらに、金属ブロックの跳ね返り力量を利用し、一対の支持アーム３１２を閉合させ、かつ動力源３３に備える支持ブロック３３４を介して、一対の支持アーム３１２を開ける。等量の開けと閉合の動作によって、マイクロドリル４の締め付け固定安定性を向上し、かつ研磨の品質の向上効果を有する。さらに、ベース３１の体積を大幅に軽減できるため、組み立てが便利のほか、占拠の空間を軽減し全体の体積を大幅に軽減できる。
【図面の簡単な説明】
【００１４】
【図１】既存の公開特許の固定式締め金の構造態様図である。
【図２】本考案の好ましい実施例の立体外観図（その１）である。
【図３】本考案の好ましい実施例の立体外観図（その２）である。
【図４】本考案の好ましい実施例の正視図（その１）である。
【図５】本考案の好ましい実施例の正視図（その２）である。
【図６】本考案の好ましい実施例の使用態様図である。
【考案を実施するための形態】
【００１５】
本考案の内容のさらなる理解を図るため、下記の説明に図式を組み合わせ、参考に供する。
【実施例】
【００１６】
図２ないし５の本発明の好ましい実施例の各視角における立体外観図と、正視図を参照する。図に示すように、本考案の締め付け装置３はラック（図示しない）上に設けられ、かつ材料供給装置（図示しない）の一つの側に位置し、マイクロドリル４を締めつけ固定して、研磨加工に備える。締め付け装置３はベース３１と、一対のチャック部３２と、一つの動力源３３と、を備える。
【００１７】
そのうち、ベース３１は、一つの金属ブロックより切削して、外枠３１１と、一対の支持アーム３１２を形成され、一対の前記支持アーム３１２は、外枠３１１の中央部に平行して設けられ、かつ一対の前記支持アーム３１２は斜め向きに外枠３１１の一つの側に延在して設けられ、一対の前記支持アーム３１２と外枠３１１との間は、それぞれＬ字通し穴３１３を横設され、それぞれ一対の枢転部３１４を形成する。すなわち、外枠３１１に接続するもっとも狭い場所に位置する。さらに、一対の前記支持アーム３１２の対向面は、それぞれ固定溝３１２１を設けられ、一対の固定溝３１２１は、対向するように設けられ、収容空間を形成する（素子番号を示していない）。
【００１８】
一対のチャック部３２は、それぞれ一対の支持アーム３１２の上端部にて対向するように設けられ、かつ図４に示すように、少なくとも一つのチャック部３２の対向面は、第１Ｖカット溝３２１を有する。第１Ｖカット溝３２１を有するチャック部３２は、常時にもう一つのチャック部３２の対向面と噛み合わせられ、マイクロドリル４を締めつけて、その周縁部に３点支えの固定を形成する。特に注意したいことは、図５に示すように、本考案は例えば、もう一つのチャック部３２の対向面を第１Ｖカット溝３２１に対応して第２Ｖカット溝３２２を設け、かつ第１Ｖカット溝３２１と第２Ｖカット溝３２２の形状、寸法を同じにして置き、マイクロドリル４を締めつけて、その周縁部に４点支えの固定を形成することによって、より良い安定性を形成する。
【００１９】
動力源３３はエアシリンダーであり、かつ圧力空気源（図示しない）に接続され、エアシリンダーは、線運動自在なリニア動力源であり、かつ動力源３３の一端は駆動軸３３１を設けられ、駆動軸３３１は圧力空気源の駆動によって、駆動軸３３１を往復に伸縮させることができる。さらに、駆動軸３３１の端部は、連稈３３２に接続され、連稈３３２の他端はさらに回転軸３３３の一端に接続され、最後に、回転軸３３３の他端は支持ブロック３３４を設けられている。さらに、支持ブロック３３４は一対の湾曲面３３４１と一対の平面３３４２と、を有する。一対の湾曲面３３４１と一対の平面３３４２はそれぞれ対称して設けられ、一対の湾曲面３３４１から支持ブロック３３４中心までの距離は、一対の平面３３４２から支持ブロック３３４中心までの距離より長く、かつ支持ブロック３３４は固定溝３１２１より形成する収容空間の内部に収容されている。
【００２０】
図６の本考案の好ましい実施例を使用するときの操作態様図を参照する。動力源３３は駆動によって、駆動軸３３１が外部に延ばしたとき、順を追って、連稈３３２と回転軸３３３を連動させ、回転軸３３３と支持ブロック３３４に所定角度の正方向の揺動を形成し、かつ支持ブロック３３４に備える一対の湾曲面３３４１を利用し、一対の固定溝３１２１の内面に支えて置き、さらに、一対の枢転部３１４を支点として、バランスよく外部に広げて、一対のチャック部３２を開けて、マイクロドリル４の取付けに備える。引き続き、図４を参照する。動力源３３の駆動軸３３１が内側に引き込み、順を追って、連稈３３２と駆動軸３３３を連動させ、駆動軸３３３と支持ブロック３３４を逆方向に揺動して復帰され、一対の平面３３４２と一対の固定溝３１２１が対向したとき、一対の支持アーム３１２は、一対の枢転部３１４の跳ね返り力量によって復帰され、チャック部３２が再びマイクロドリル４を締め付け固定する。
【符号の説明】
【００２１】
１        締め金本体
１１      中心部
１２      支持アーム
１３      枢軸装置
１４      制御具
２        締め付け顎
２１      ピン
２２      ライニング
２３      ボルト
３        締め付け装置
３１      ベース
３１１    外枠
３１２    支持アーム
３１２１  制限溝
３１３    Ｌ字通し穴
３１４    枢転部
３２      チャック部
３２１    第１Ｖカット溝
３２２    第２Ｖカット溝
３３      動力源
３３１    伝動軸
３３２    連稈
３３３    回転軸
３３４    支持ブロック
３３４１  湾曲面
３３４２  平面
４        マイクロドリル
【図１】
0003174752.tif 000003
【図２】
0003174752.tif 000004
【図３】
0003174752.tif 000005
【図４】
0003174752.tif 000006
【図５】
0003174752.tif 000007
【図６】
0003174752.tif 000008